(57)【要約】      （修正有）【課題】開き扉の急激な開扉を防ぐため、扉を所定の角度で引き止める扉止め装置であり、閉扉時は扉の停止具を露見せず、閉扉時と扉の引き止め時は扉と停止具が近接する位置関係を保持できる扉止め装置を提供する。【解決手段】開口部前面に設けられた扉枠５と、この扉枠５内に上下両端部に設けた軸棒２を介して回動自在に設けられた開き扉１と、扉枠５の一方の軸棒２に穴３ｃを介して回動自在に設けられ衝突面３ａ及び接触面３ｂを有する停止具３と、開き扉１の裏面部と停止具３の接触面３ｂとの間に介在された連結保持具４とを備え、連結保持具４で開き扉１と停止具３を連結し、扉の開放時は停止具の衝突面３ａと扉枠の衝突面が衝突することで扉を引き止め、開き扉１と停止具３を連結保持具４の吸着力が及ばない範囲まで引き離すことで扉の開扉が可能であるように構成した。【選択図】図１
0003201673.tif 000002
【実用新案登録請求の範囲】
【請求項１】
保管庫や室内等の開口部前面に設けられた扉枠５と、
この扉枠５内に上下両端部に設けた軸棒２を介して回動自在に設けられた
開き扉１と、
前記扉枠５の一方の軸棒２に穴３ｃを介して回動自在に設けられ衝突面３ａ及び接触面３ｂを有する停止具３と、
前記開き扉１の裏面部１ａと前記停止具３の接触面３ｂとの間に介在された連結保持具４とを備え、
前記開き扉１が所定角度まで開放したときに前記開き扉１と前記停止具３との連結状態を解除するようにしたことを特徴とする開き扉の扉止め装置。
【考案の詳細な説明】
【技術分野】
【０００１】本考案は、開き扉を所定の角度で引き止める扉止め装置に関する。
【背景技術】
【０００２】従来から開き扉の急激な開扉による扉の衝突で怪我をしてしまうことを防ぐため、開き扉を所定の角度で引き止めるドアストッパーが知られており、例えば扉と床に取り付けたドアストッパー部材に対して磁性体と磁石をそれぞれ配置して、これらが近接すると、吸着力が働いて扉を止めるドアストッパーがある。
（例えば、特許文献１参照）。
【先行技術文献】
【特許文献】
【０００３】
【特許文献１】  特許第５２７５００２号明細書
【考案の概要】
【考案が解決しようとする課題】
【０００４】従来のドアストッパーは出入口の扉などに設けられ、床や天井、壁などに停止具を備えるため、床面や天井面、壁面上に常時停止具の一部が露見してしまい、その露見した一部に引っ掛かり怪我をするという欠点があった。【０００５】また、扉の付いた保管庫などに従来のドアストッパーを取り付ける場合は、保管庫とは別に停止具が必要となってしまうこと、保管庫の設置場所によっては、停止具と扉を近接する位置関係に保つことが難しいことからドアストッパーの設置に到らないという欠点があった。【０００６】本考案は従来技術が有する問題点を解決しようとするものであって、開き扉の急激な開扉による扉の衝突で怪我をしてしまうことを防ぐため、開き扉を所定の角度で引き止める扉止め装置であり、閉扉時は扉の停止具を露見しないため、引っ掛かりによる怪我を防ぎ、また、閉扉時と開き扉の引き止め時は扉と停止具が連結され、閉止状態を確実に保持できる扉止め装置を提供しようとするものである。
【課題を解決するための手段】
【０００７】前記目的を達成するために、本考案に係わる扉止め装置は、開口部前面に設けられた扉枠５と、この扉枠５内に上下両端部に設けた軸棒２を介して回動自在に設けられた開き扉１と、前記扉枠５の一方の軸棒２に穴３ｃを介して回動自在に設けられ衝突面３ａ及び接触面３ｂを有する停止具３と、前記開き扉１の裏面部１ａと前記停止具３の接触面３ｂとの間に介在された連結保持具４とを備え、前記開き扉１が所定角度まで開放したときに前記開き扉１と前記停止具３との連結状態を解除するようにしたことを特徴としている。
【考案の効果】
【０００８】本考案によれば、開き扉の急激な開扉による扉の衝突で怪我をしてしまうことを防ぐため、開き扉を所定の角度で引き止める扉止め装置であり、閉扉時は扉の停止具を露見しないため、引っ掛かりによる怪我を防ぎ、また、閉扉時と開き扉の引き止め時は扉と停止具が連結され、閉止状態を確実に保持できる扉止め装置を得る事ができる。
【図面の簡単な説明】
【０００９】
【図１】第１の実施例に係る扉止め装置の分解斜視図である。
【図２】第１の実施例に係る扉止め装置の構成要素の位置関係を示した右側面の部分断面拡大図である。
【図３】第１の実施例に係る扉止め装置の閉扉時の右側面の部分断面拡大図である。
【図４】第１の実施例に係る扉止め装置の扉引き止め時の部分拡大斜視図である。
【図５】第１の実施例に係る扉止め装置の開扉時の部分拡大斜視図である。
【図６】第２の実施例に係る扉止め装置を用いた扉を持つ出入口の斜視図である。
【図７】第３の実施例に係る扉止め装置を用いた扉を持つ保管庫の斜視図である。
【図８】第３の実施例に係る扉止め装置を用いた扉を持つ保管庫の右側面の部分断面拡大図である。
【図９】第３の実施例に係る扉止め装置を用いた扉を持つ保管庫の平面の部分断面拡大図である。
【図１０】第４の実施例に係る第１の実施例に扉枠と停止具の連結保持具を追加し、扉の引き止め状態を保持できるようにした扉の構成要素の位置関係を示した右側面の部分断面拡大図である。
【図１１】第４の実施例に係る第１の実施例に扉枠と停止具の連結保持具を追加し、扉の引き止め状態を保持できるようにした扉の扉引き止め時の状態を示した右側面の部分断面拡大図である。
【考案を実施するための形態】
【００１０】以下、本考案の具体的な実施例について図面に基づいて説明する。
【実施例１】
【００１１】図１、図２に示すように、扉止め装置は扉枠５と、この扉枠５内に上下両端部に設けた軸棒２を介して回動自在に設けられた開き扉１と、前記扉枠５の一方の軸棒２に穴３ｃを介して回動自在に設けられ衝突面３ａ及び接触面３ｂを有する停止具３と、前記開き扉１の裏面部１ａと前記停止具３の接触面３ｂとの間に介在された連結保持具４からなる。【００１２】図１、図２に示すように、軸棒２は扉端面１ｂの上方向に備えられ、扉枠５には軸棒２に対応した扉枠の穴５ｂが、停止具３には軸棒２に対応した停止具の穴３ｃがそれぞれ開いており、開き扉１は軸棒２を介し扉枠５に枢着しており、停止具３は軸棒２を介し、開き扉１と扉枠５の間に挟まるようにして枢着している。【００１３】図２に示すように、連結保持具４は磁石もしくは磁性体、あるいは面ファスナーなど繰り返し脱着を行うことができるものを用いて形成され、停止具の接触面３ｂもしくは扉の裏面部１ａに取り付いている。【００１４】図２に示すように連結保持具４を停止具の接触面３ｂに取り付ける場合は、扉の裏面部１ａは連結保持具４と近接すると吸着力が働くように磁石もしくは磁性体、あるいは面ファスナーなど繰り返し脱着を行うことができるものを用いて形成される。【００１５】図２に示すように連結保持具４を扉の裏面部１ａに取り付ける場合は、停止具の接触面３ｂは連結保持具４と近接すると吸着力が働くように磁石もしくは磁性体、あるいは面ファスナーなど繰り返し脱着を行うことができるものを用いて形成される。【００１６】図２、図３に示すように開き扉１を閉めると連結保持具４と扉の裏面部１ａ、もしくは停止具の接触面３ｂの間に吸着力が働く。【００１７】図２、図４に示すように開き扉１が開くと、停止具の衝突面３ａが扉枠の衝突面５ａと衝突し、扉を引き止める。この時、開き扉１と停止具３は連結保持具４によって連結され、扉の裏面部１ａと停止具の接触面３ｂが平行な状態であるとし、扉端面１ｂに対し、停止具の衝突面３ａ及び停止具の接触面３ｂが垂直であり、かつ、停止具の衝突面３ａと停止具の接触面３ｂとが成す角度を１５度とすれば、停止具の衝突面３ａと扉枠の衝突面５ａが衝突した時に停止具の衝突面３ａと扉枠の衝突面５ａが平行な状態であれば、開き扉１を１５度開いた時点で連結状態を解除することができる。【００１８】図２、図５に示すように引き止められた開き扉１をさらに引くことで連結保持具４が止め具の接触面３ｂもしくは扉の裏面部１ａから離れ、扉を全開状態にすることができる。
【実施例２】
【００１９】図６に示すように本考案を開き扉を持つ出入口に用いることで、開き扉１の急激な開扉による開き扉１の衝突で怪我をしてしまうことを防ぐため、開き扉１を所定の角度で引き止めることができ、閉扉時は停止具３を露見しないため、引っ掛かりによる怪我を防ぎ、また、閉扉時と開き扉１の引き止め時は開き扉１と停止具３が連結され、閉止状態を確実に保持できる出入口とすることができる。
【実施例３】
【００２０】図７、図８、図９に示すように本考案を開き扉の付いた保管庫に用いることで、開き扉１の急激な開扉による開き扉１の衝突で怪我をしてしまうことを防ぐため、開き扉１を所定の角度で引き止めることができ、閉扉時は停止具３を露見しないため、引っ掛かりによる怪我を防ぎ、また、閉扉時と開き扉１の引き止め時は開き扉１と停止具３が連結され、閉止状態を確実に保持できる保管庫とすることができる。
【実施例４】
【００２１】第４の実施例は図１０、図１１に示すように第１の実施例に対して、停止具の衝突面３ａと扉枠の衝突面５ａとの間に介在する扉枠と停止具の連結保持具６を追加した状態を示し、この扉枠と停止具の連結保持具６を停止具の衝突面３ａあるいは扉枠の衝突面５ａに取り付け、停止具の接触面３ａあるいは扉枠の衝突面５ａが扉枠と停止具の連結保持具６と近接すると吸着力が働くように磁石もしくは磁性体、あるいは面ファスナーなど繰り返し脱着を行うことができるものを用いて形成することで、開き扉１を開放すると所定の角度で停止すると同時に停止具３と扉枠５が扉枠と停止具の連結保持具６を介し、連結状態となるため、開き扉１の引き止め状態を保持することができ、また、開き扉１を閉めることで、扉枠と停止具の連結保持具６は扉枠の衝突面５ａ、あるいは停止具の衝突面３ａから離れ、連結状態を解除できる扉とすることができる。
【符号の説明】
【００２２】１  開き扉
１ａ  扉の裏面部
１ｂ  扉端面
２  軸棒
３  停止具
３ａ  停止具の衝突面
３ｂ  停止具の接触面
３ｃ  停止具の穴
４  連結保持具
５  扉枠
５ａ  扉枠の衝突面
５ｂ  扉枠の穴
６  扉枠と停止具の連結保持具
【図１】
0003201673.tif 000003
【図２】
0003201673.tif 000004
【図３】
0003201673.tif 000005
【図４】
0003201673.tif 000006
【図５】
0003201673.tif 000007
【図６】
0003201673.tif 000008
【図７】
0003201673.tif 000009
【図８】
0003201673.tif 000010
【図９】
0003201673.tif 000011
【図１０】
0003201673.tif 000012
【図１１】
0003201673.tif 000013